(57)【要約】【課題】ＧＳＭ通信方式におけるハンドオーバー試験を実施する。【解決手段】ＧＳＭ基地局との間でＧＳＭ通信方式を用いて通信を行う移動端末に対して、各スロットの周波数が変化するＧＳＭ試験信号を送出することによってＧＳＭ基地局間ハンドオーバー試験を実施するハンドオーバー試験方法において、ＧＳＭ試験信号の各スロットの周波数を指定したＧＳＭ周波数変更要求に応じて、このＧＳＭ周波数変更要求が入力したフレーム内において、指定された周波数を得るための設定周波数データ及び所定の出力信号レベルを得るための設定減衰量データを算出する。その後、ＧＳＭ周波数変更要求が入力したフレームの次のフレームにおける各スロットに同期して、算出された該当スロットの設定周波数データ及び設定減衰量データを試験信号発生部の搬送波発生回路及び減衰器へ設定する。【選択図】　　図２
2004120655.tif 000002
【特許請求の範囲】
【請求項１】
ＧＳＭ基地局との間でＧＳＭ通信方式を用いて通信を行う移動端末に対して、各スロットの周波数が変化するＧＳＭ試験信号を送出することによってＧＳＭ基地局間ハンドオーバー試験を実施するハンドオーバー試験方法において、
前記ＧＳＭ試験信号の各スロットの周波数を指定したＧＳＭ周波数変更要求に応じて、このＧＳＭ周波数変更要求が入力したフレーム内において、前記指定された周波数を得るための設定周波数データ及び所定の出力信号レベルを得るための設定減衰量データを算出して、
前記ＧＳＭ周波数変更要求が入力したフレームの次のフレームにおける各スロットに同期して、算出された該当スロットの設定周波数データ及び設定減衰量データを試験信号発生部の搬送波発生回路及び減衰器へ設定する
ことを特徴とするハンドオーバー試験方法。
【請求項２】
ＧＳＭ基地局との間でＧＳＭ通信方式を用いて通信を行うと共にＷ―ＣＤＭＡ基地局との間でＷ−ＣＤＭＡ通信方式を用いて通信を行う移動端末に対して、各スロットの周波数が変化するＧＳＭ試験信号を送出することによってＧＳＭ基地局間ハンドオーバー試験を実施し、かつ前記移動端末に対して送出しているＧＳＭ試験信号をＷ−ＣＤＭＡ試験信号に変更することによってシステム間ハンドオーバー試験を実施するハンドオーバー試験方法において、
ＧＳＭ基地局間ハンドオーバー試験を実施する場合、
前記ＧＳＭ試験信号の各スロットの周波数を指定したＧＳＭ周波数変更要求に応じて、このＧＳＭ周波数変更要求が入力したフレーム内において、前記指定された周波数を得るための設定周波数データ及び所定の出力信号レベルを得るための設定減衰量データを算出して、前記ＧＳＭ周波数変更要求が入力したフレームの次のフレームにおける各スロットに同期して、算出された該当スロットの設定周波数データ及び設定減衰量データを試験信号発生部の搬送波発生回路及び減衰器へ設定し、
ＧＳＭ基地局からＷ−ＣＤＭＡ基地局へのシステム間ハンドオーバー試験を実施する場合、
周波数を指定したＷ−ＣＤＭＡ試験信号への変更要求に応じて、この変更要求が入力したフレーム内において、前記指定された周波数を得るための設定周波数データ及び所定の出力信号レベルを得るための設定減衰量データを算出して試験信号発生部の搬送波発生回路及び減衰器へ設定する
ことを特徴とするハンドオーバー試験方法。
【請求項３】
ＧＳＭ基地局との間でＧＳＭ通信方式を用いて通信を行うと共にＷ―ＣＤＭＡ基地局との間でＷ−ＣＤＭＡ通信方式を用いて通信を行う移動端末に対して、各スロットの周波数が変化するＧＳＭ試験信号を送出することによってＧＳＭ基地局間ハンドオーバー試験を実施し、かつ前記移動端末に対して送出しているＷ−ＣＤＭＡ試験信号をＧＳＭ試験信号に変更することによってシステム間ハンドオーバー試験を実施するハンドオーバー試験方法において、
前記ＧＳＭ試験信号の各スロットの周波数を指定したＧＳＭ周波数変更要求に応じて、このＧＳＭ周波数変更要求が入力したフレーム内において、前記指定された周波数を得るための設定周波数データ及び所定の出力信号レベルを得るための設定減衰量データを算出して、
前記ＧＳＭ周波数変更要求が入力したフレームの次のフレームにおける各スロットに同期して、算出された該当スロットの設定周波数データ及び設定減衰量データを試験信号発生部の搬送波発生回路及び減衰器へ設定する
ことを特徴とするハンドオーバー試験方法。
【請求項４】
ＧＳＭ基地局との間でＧＳＭ通信方式を用いて通信を行う移動端末に対して、各スロットの周波数が変化するＧＳＭ試験信号を送出することによってＧＳＭ基地局間ハンドオーバー試験を実施するハンドオーバー試験装置において、
前記ＧＳＭ試験信号の各スロットの周波数を指定したＧＳＭ周波数変更要求に応じて、このＧＳＭ周波数変更要求が入力したフレーム内において、前記指定された周波数を得るための設定周波数データ及び所定の出力信号レベルを得るための設定減衰量データを算出する手段と、
前記ＧＳＭ周波数変更要求が入力したフレームの次のフレームにおける各スロットに同期して、算出された該当スロットの設定周波数データ及び設定減衰量データを試験信号発生部の搬送波発生回路及び減衰器へ設定する手段と
を備えたことを特徴とするハンドオーバー試験装置。
【発明の詳細な説明】
【０００１】
【発明の属する技術分野】
本発明は、移動端末に対してハンドオーバー試験を実施するハンドオーバー試験方法及びハンドオーバー試験装置に関する。
【０００２】
【従来の技術】
携帯電話等の移動端末の移動無線通信システムにおいは、図７（ａ）に示すように、移動端末１は自己が位置するゾーン（領域）２を管轄する基地局３と該当基地局３に割付けられた周波数Ｆ１で通信を行っている。そして、移動端末１の利用者が通話中に他のゾーン２ａに移動すると、このゾーン２ａを管轄する基地局３ａと周波数Ｆ２で通信を実施する。この場合、移動端末１の利用者が通話中に他のゾーン２ａに移動しても通話を維持する機能を基地局間ハンドオーバー（ｈａｎｄ　ｏｖｅｒ）と称する。
【０００３】
上述した基地局間ハンドオーバー機能を含む移動端末１が有する各種の機能を試験する移動端末試験装置は図８に示すように構成されている。
この移動端末試験装置４内には、同一構成の２台の試験信号発生部５、６、送信系評価部７、試験制御部８が組込まれている。各試験信号発生部５、６は互いに隣接する各基地局３、３ａに代わって試験対象の移動端末１に対して各試験信号ｓ１、ｓ２を送出する。送信系評価部７は移動端末１からの応答信号ｂを受信して、この応答信号ｂに基づいて移動端末１の送信機能を評価する。試験制御部８は、各部５〜７の動作を制御する。
【０００４】
なお、移動端末試験装置４内に同一構成の２台の試験信号発生部５、６を組込んだ理由は、図７（ａ）に示すように、移動端末１が両方の電波を同時に受信可能な領域に位置する状態を想定できるからである。
【０００５】
このような移動端末試験装置４を用いて基地局間ハンドオーバーの試験を実施する最も簡単な手法（ハードハンドオーバ試験）として、一方の試験信号発生部５から試験対象の移動端末１に対して試験信号ｓ１の周波数Ｆを変更した場合に、移動端末１が正確に周波数変更後の試験信号ｓ１を受信できるか、さらに周波数変更後の試験信号ｓ１に対する応答信号ｂを正確に送信できるかを送信系評価部７を用いて評価する。
【０００６】
また、図１１に示すように、一方の試験信号発生部５から試験対象の移動端末１に対して周波数Ｆ１の試験信号ｓ１を送出している期間の一部に、他方の試験信号発生部６から試験対象の移動端末１に対して周波数Ｆ２の試験信号ｓ２を送出して、重複期間における移動端末１の動作状態を試験する手法（ソフトハンドオーバ試験）も実施することも可能である。
【０００７】
基地局３、３ａと移動端末１との間で送受信される信号の形態は採用されている通信方式によって異なるので、試験信号発生部５、６から試験対象の移動端末１に対して送信される試験信号ｓ１、ｓ２の信号構成（フォーマット）も異なる場合がある。
【０００８】
図９に代表的な通信方式であるＷ―ＣＤＭＡ（Ｗｉｄｅｂａｎｄ　Ｃｏｄｅ　Ｄｉｖｉｓｉｏｎ　Ｍｕｌｔｉｐｌｅ　Ａｃｃｅｓｓ　広帯域符号分割多重接続）通信方式を採用したＷ―ＣＤＭＡ試験信号ａ１の信号構成（フォーマット）と、ＧＳＭ（Ｇｌｏｂａｌ　Ｓｙｓｔｅｍ　ｆｏｒ　Ｍｏｂｉｌｅ　欧州移動通信システム）通信方式を採用したＧＳＭ試験信号ａ２の信号構成（フォーマット）とを示す。
【０００９】
Ｗ―ＣＤＭＡ試験信号ａ１においては、１フレームの周期は１０ｍｓであり、各フレームに各基地局に対応した周波数Ｆ１、Ｆ２、Ｆ３、…が設定される。もちろん、連続した複数のフレームに同一周波数が設定される場合もある。
【００１０】
一方、ＧＳＭ試験信号ａ２においては、１フレームの周期は４．６２ｍｓであり、さらに各フレーム内には、それぞれ期間０．５７７ｍｓを有する８個のスロットが設定されており、必要に応じて、各スロットにチャネルに対応した周波数が設定される。なお、このＧＳＭ試験信号ａ２における各スロットにおける周波数の変更は、１フレーム毎にまとめて変更される。
【００１１】
一方、図７（ｂ）に示すように、Ｗ―ＣＤＭＡ基地局９とＷ―ＣＤＭＡ通信方式で通信を実施する機能とＧＳＭ基地局９ａとＧＳＭ通信方式で通信を実施する機能とを有した移動端末１ａの開発が進められている。このような機能を有した移動端末１ａにおいては、Ｗ―ＣＤＭＡ基地局９のゾーン１１からＧＳＭ基地局９ａのゾーン１１ａへ移動した場合に通話が正常に継続するシステム間ハンドバーの試験を実施する必要がある。
【００１２】
図８に示す移動端末試験装置４で、システム間ハンドバーの試験を実施する場合、図１０に示すように、例えば、一方の試験信号発生部５からＷ―ＣＤＭＡ試験信号ａ１を移動端末１ａに送信している途中で、ＧＳＭ変更割込みが入力されると、この時点から試験信号発生部５から移動端末１ａに送信しているＷ―ＣＤＭＡ試験信号ａ１をＧＳＭ試験信号ａ２に変更する（ハードハンドオーバ試験）。
【００１３】
なお、図１１に示すように、一方の試験信号発生部５からＷ―ＣＤＭＡ試験信号ａ１を移動端末１ａに送信している途中で、他方の試験信号発生部６からＧＳＭ試験信号ａ２を移動端末１ａに送信開始するソフトハンドオーバ試験も実施可能である。
【００１４】
【発明が解決しようとする課題】
しかしながら図８に示すハンドバーの試験を実施する移動端末試験装置４においても、まだ解決すべき次のような課題があった。
【００１５】
前述したように、図９に示すＷ―ＣＤＭＡ試験信号ａ１及びＧＳＭ試験信号ａ２を作成する図８に示す各試験信号発生部５、６内には、試験信号ａ１、ａ２の搬送波を発生する搬送波発生回路、及び出力される試験信号ａ１、ａ２の信号レベルを所定レベルに設定する減衰器が組込まれている。例えば、搬送波発生回路は基準信号の周波数から指定された周波数を得るための複数の分周器で構成されている。そして、試験制御部８は、試験信号ａ１、ａ２に組込む周波数Ｆが定まると、この周波数Ｆの搬送波が出力されるように、各分周器に設定する設定周波数データＤＦを算出して、搬送波発生回路の各分周器に設定する。
【００１６】
同様に、試験制御部８は、試験信号ａ１、ａ２に組込む周波数Ｆが定まると、この周波数Ｆの搬送波の試験信号ａ１、ａ２の出力信号レベルが所定の信号レベルになるように、減衰器に設定する設定減衰量データＤＡを算出して、減衰器に設定する。
【００１７】
このように、試験信号ａ１、ａ２に組込む周波数Ｆが定まると、設定周波数データＤＦ及び設定減衰量データＤＡを算出し、その後、この算出した設定周波数データＤＦ及び設定減衰量データＤＡを一方又は両方の試験信号発生部５、６へ設定していた。
【００１８】
コンピュータで構成された試験制御部８においては、例えば、
設定周波数データＤＦを算出する時間　０．６６３ｍｓ
設定周波数データＤＦを設定する時間　０．２５２ｍｓ
設定減衰量データＤＡを算出する時間　０．０４６ｍｓ
設定減衰量データＤＡを設定する時間　０．１７６ｍｓ
の合計１．１３７ｍｓの時間が必要である。
【００１９】
この一つの周波数Ｆを試験信号ａ１、ａ２に設定するために必要な最低時間（１．１３７ｍｓ）と図９のＷ―ＣＤＭＡ試験信号ａ１及びＧＳＭ試験信号ａ２と比較する。Ｗ―ＣＤＭＡ試験信号ａ１においては、上述した最低時間（１．１３７ｍｓ）は周波数設定の最低時間単位である１フレームの周期１０ｍｓよりも短いので、１フレーム内で入力された周波数ＦをＷ―ＣＤＭＡ試験信号ａ１に組込むことが可能である。
【００２０】
しかし、ＧＳＭ試験信号ａ２においては、上述した最低時間（１．１３７ｍｓ）は周波数設定の最低時間単位である１スロットの期間０．５７７ｍｓよりも長いので、１スロットで入力された周波数ＦをＧＳＭ試験信号ａ２に組込むことができない問題がある。
【００２１】
なお、高速の試験制御部８を採用して、計算処理速度を上昇させればよいが、高速の試験制御部８を採用すると試験装置全体の製造費が大幅に上昇する。
【００２２】
本発明はこのような事情に鑑みてなされたものであり、設定周波数データ及び設定減衰量データの算出タイミングと、設定周波数データ及び設定減衰量データの設定タイミングとをずらすことにより、演算処理速度を増加することなく、ＧＳＭ通信方式を採用した移動端末に対してのハンドオーバー試験を正確に実施できるハンドオーバー試験方法及びハンドオーバー試験装置を提供することを目的とする。
【００２３】
【課題を解決するための手段】
本発明は、ＧＳＭ基地局との間でＧＳＭ通信方式を用いて通信を行う移動端末に対して、各スロットの周波数が変化するＧＳＭ試験信号を送出することによってＧＳＭ基地局間ハンドオーバー試験を実施するハンドオーバー試験方法に適用される。
【００２４】
そして、上記課題を解消するために、本発明のハンドオーバー試験方法においては、ＧＳＭ試験信号の各スロットの周波数を指定したＧＳＭ周波数変更要求に応じて、このＧＳＭ周波数変更要求が入力したフレーム内において、指定された周波数を得るための設定周波数データ及び所定の出力信号レベルを得るための設定減衰量データを算出する。その後、ＧＳＭ周波数変更要求が入力したフレームの次のフレームにおける各スロットに同期して、算出された該当スロットの設定周波数データ及び設定減衰量データを試験信号発生部の搬送波発生回路及び減衰器へ設定する。
【００２５】
このように構成されたハンドオーバー試験方法においては、ＧＳＭ周波数変更要求が入力されると、このフレーム内において、各スロットに設定する各周波数に対する設定周波数データ及び設定減衰量データが算出される。
【００２６】
そして、このフレームの次のフレームの各スロットに同期して、先のフレームで計算済みの設定周波数データ及び設定減衰量データの試験信号発生部に対する設定処理が実施される。計算済みの設定周波数データ及び設定減衰量データの設定処理に要する時間は、スロットの期間より十分短いので、ＧＳＭ試験信号の各スロットに各周波数を十分設定することが可能となる。なお、各スロットに設定する各周波数に対する設定周波数データ及び設定減衰量データの算出時間は１フレームの周期に比較して十分短いので、１フレーム内で十分処理できる。
【００２７】
さらに別の発明は、ＧＳＭ基地局との間でＧＳＭ通信方式を用いて通信を行うと共にＷ―ＣＤＭＡ基地局との間でＷ−ＣＤＭＡ通信方式を用いて通信を行う移動端末に対して、各スロットの周波数が変化するＧＳＭ試験信号を送出することによってＧＳＭ基地局間ハンドオーバー試験を実施し、かつ、移動端末に対して送出しているＧＳＭ試験信号をＷ−ＣＤＭＡ試験信号に変更することによってシステム間ハンドオーバー試験を実施するハンドオーバー試験方法に適用される。
【００２８】
そして、上記課題を解消するために、ＧＳＭ基地局間ハンドオーバー試験を実施する場合には、ＧＳＭ試験信号の各スロットの周波数を指定したＧＳＭ周波数変更要求に応じて、このＧＳＭ周波数変更要求が入力したフレーム内において、指定された周波数を得るための設定周波数データ及び所定の出力信号レベルを得るための設定減衰量データを算出して、ＧＳＭ周波数変更要求が入力したフレームの次のフレームにおける各スロットに同期して、算出された該当スロットの設定周波数データ及び設定減衰量データを試験信号発生部の搬送波発生回路及び減衰器へ設定する。
【００２９】
また、ＧＳＭ基地局からＷ−ＣＤＭＡ基地局へのシステム間ハンドオーバー試験を実施する場合には、周波数を指定したＷ−ＣＤＭＡ試験信号への変更要求に応じて、この変更要求が入力したフレーム内において、指定された周波数を得るための設定周波数データ及び所定の出力信号レベルを得るための設定減衰量データを算出して試験信号発生部の搬送波発生回路及び減衰器へ設定する。
【００３０】
このような構成のハンドオーバー試験方法においては、ＧＳＭ通信方式における上述した発明における良好なＧＳＭ基地局間ハンドオーバー試験が実施できる。
【００３１】
さらに、周波数を指定したＷ−ＣＤＭＡ試験信号への変更時においては、設定周波数データ及び設定減衰量データの算出と、設定周波数データ及び設定減衰量データの設定とを同一フレームで実行させている。したがって、ＧＳＭ通信方式からＷ−ＣＤＭＡ通信方式への良好なシステム間ハンドオーバー試験が実施できる。
【００３２】
また別の発明においては、ＧＳＭ基地局との間でＧＳＭ通信方式を用いて通信を行うと共にＷ―ＣＤＭＡ基地局との間でＷ−ＣＤＭＡ通信方式を用いて通信を行う移動端末に対して、各スロットの周波数が変化するＧＳＭ試験信号を送出することによってＧＳＭ基地局間ハンドオーバー試験を実施し、かつ、移動端末に対して送出しているＷ−ＣＤＭＡ試験信号をＧＳＭ試験信号に変更することによってシステム間ハンドオーバー試験を実施するハンドオーバー試験方法に適用される。
【００３３】
そして、ＧＳＭ試験信号の各スロットの周波数を指定したＧＳＭ周波数変更要求に応じて、このＧＳＭ周波数変更要求が入力したフレーム内において、指定された周波数を得るための設定周波数データ及び所定の出力信号レベルを得るための設定減衰量データを算出して、ＧＳＭ周波数変更要求が入力したフレームの次のフレームにおける各スロットに同期して、算出された該当スロットの設定周波数データ及び設定減衰量データを試験信号発生部の搬送波発生回路及び減衰器へ設定する。
【００３４】
このように構成されたハンドオーバー試験方法においては、ＧＳＭ通信方式における上述した発明における良好なＧＳＭ基地局間ハンドオーバー試験が実施できるとともに、Ｗ−ＣＤＭＡ通信方式からＧＳＭ通信方式への良好なシステム間ハンドオーバー試験が実施できる。
【００３５】
さらに別の発明は、ＧＳＭ基地局との間でＧＳＭ通信方式を用いて通信を行う移動端末に対して、各スロットの周波数が変化するＧＳＭ試験信号を送出することによってＧＳＭ基地局間ハンドオーバー試験を実施するハンドオーバー試験装置である。
【００３６】
そして、ＧＳＭ試験信号の各スロットの周波数を指定したＧＳＭ周波数変更要求に応じて、このＧＳＭ周波数変更要求が入力したフレーム内において、指定された周波数を得るための設定周波数データ及び所定の出力信号レベルを得るための設定減衰量データを算出する手段と、ＧＳＭ周波数変更要求が入力したフレームの次のフレームにおける各スロットに同期して、算出された該当スロットの設定周波数データ及び設定減衰量データを試験信号発生部の搬送波発生回路及び減衰器へ設定する手段とを備えている。
【００３７】
【発明の実施の形態】
以下、本発明の一実施形態を図面を用いて説明する。
【００３８】
図１は本発明の実施形態に係るハンドオーバー試験方法及びハンドオーバー試験装置が組込まれた移動端末試験装置の概略構成を示すブロック図である。図７、図８、図９と同一部分には同一符号を付して重複する部分の詳細説明は省略する。
【００３９】
この移動端末試験装置１２内には、同一構成の２つの試験信号発生部１３、１４、送信系評価部１５、演算制御部１７、試験結果評価部１８、試験条件入力部１９、表示器２０が組込まれている。
【００４０】
一方の試験信号発生部１３は、図９に示すＷ―ＣＤＭＡ試験信号ａ１又はＧＳＭ試験信号ａ２を、試験対象のＧＳＭ通信方式及びＷ−ＣＤＭＡ通信方式を用いて通信可能な移動端末１ａに対して試験信号ｓ１として送出する。他方の試験信号発生部１４は、図９に示すＷ―ＣＤＭＡ試験信号ａ１又はＧＳＭ試験信号ａ２を、試験対象の移動端末１ａに対して試験信号ｓ２として送出する。
【００４１】
送信系評価部１５は移動端末１ａからの応答信号ｂを受信して、この応答信号ｂに基づいて移動端末１ａの送信機能を評価する。試験結果評価部１８は、送信系評価部１５から受領した送信機能評価を用いて移動端末１ａの基地局間ハンドオーバー機能及びシステム間ハンドオーバー機能を評価し、評価結果を表示器２０に表示する。
【００４２】
例えば、パーソナルコンピュータ（ＰＣ）からなる試験条件入力部１９は、操作者が操作入力した、周波数を指定したＧＳＭ周波数変更要求、周波数を指定したＷ−ＣＤＭＡ試験信号への変更要求、及び周波数を指定したＧＳＭ試験信号への変更要求を演算処理部１７へ割込信号として送出する。
【００４３】
コンピュータからなる演算処理部１７は、ＧＳＭ周波数変更要求、Ｗ−ＣＤＭＡ試験信号への変更要求、及び周波数を指定したＧＳＭ試験信号への変更要求に基づいて、各試験信号発生部１３、１４に設定する設定周波データＤＦＷ、ＤＦＧ、設定周波データＤＡＷ、ＤＡＧを算出して、各試験信号発生部１３、１４に設定する。
【００４４】
図２は、図１の移動端末試験装置１２の要部を取出して示す詳細ブロック図である。
各試験信号発生部１３、１４は、試験信号送出部２１とＲＦ制御部２２とで構成されている。ＲＦ制御部２２内には、フレーム発生回路２３、試験データメモリ２４、設定周波数データメモリ２５、設定減衰量データメモリ２６が形成されている。
【００４５】
そして、フレーム発生回路２３は、図９に示すＷ―ＣＤＭＡ試験信号ａ１の１０ｍｓ周期のフレーム、又はＧＭＳ試験信号ａ２の０．５７７ｍｓのスロットが８個組込まれて４．６２ｍｓ周期のフレームを発生する。いずれの信号ａ１、ａ２のフレームを発生するかは、試験条件入力部１９からのに指示に基づく。
【００４６】
試験データメモリ２４内には、Ｗ―ＣＤＭＡ試験信号ａ１の各フレームに組込む例えばＰＮ符号列からなる試験データ、及びＧＭＳ試験信号ａ２の各スロットに組込む例えばＰＮ符号列からなる試験データが記憶されている。
【００４７】
設定周波数データメモリ２５内には、演算制御部１７で算出されたＷ―ＣＤＭＡ試験信号ａ１の設定周波数データＤＦＷ、又は演算制御部１７で算出されたＧＭＳ試験信号ａ２のスロット毎の設定周波数データＤＦＧが一時記憶される。
【００４８】
設定減衰量データメモリ２６内には、演算制御部１７で算出されたＷ―ＣＤＭＡ試験信号ａ１の設定減衰量データＤＡＷ、又は演算制御部１７で算出されたＧＭＳ試験信号ａ２のスロット毎の設定減衰量データＤＡＧが一時記憶される。
【００４９】
試験信号発生部１３、１４が試験条件入力部１９（演算制御部１７）でＷ―ＣＤＭＡ試験信号ａ１の送出を指定された場合、試験信号送出部２１内において、試験データメモリ２４から読出された試験データをフレーム組込回路２７でにおいてフレーム発生回路２３から出力された１０ｍｓ周期のフレームに組込んでミキサ２８へ送出する。
【００５０】
ミキサ２８は、搬送波発生回路２９から出力された周波数Ｆの搬送波信号をフレーム組込回路２７から入力された信号で変調して減衰器（ＡＴＴ）３０へ送出する。減衰器（ＡＴＴ）３０は、入力された変調信号の信号レベルを所定レベルに調整して、Ｗ―ＣＤＭＡ試験信号ａ１として出力端子３１から試験対象の移動端末１ａへ送出する。
【００５１】
搬送波発生回路２９から出力される搬送波信号の周波数Ｆは設定周波数データメモリ２５から読出されて設定された設定周波数データＤＦＷにて定まる。また、減衰器（ＡＴＴ）の減衰量３０は設定減衰量データメモリ２６から読出されて設定された設定減衰量データＤＡＷにて定まる。
【００５２】
一方、試験信号発生部１３、１４が試験条件入力部１９（演算制御部１７）でＧＳＭ試験信号ａ２の送出を指定された場合、試験信号送出部２１内において、試験信号送出部２１内において、試験データメモリ２４から読出された試験データをフレーム組込回路２７においてフレーム発生回路２３から出力された４．６２ｍｓ周期のフレームにおける０．５７７ｍｓの各スロットに組込んでミキサ２８へ送出する。
【００５３】
ミキサ２８は、搬送波発生回路２９から出力されたスロット毎の周波数Ｆの搬送波信号をフレーム組込回路２７から入力された信号で変調して減衰器（ＡＴＴ）３０へ送出する。減衰器（ＡＴＴ）３０は、入力された変調信号の信号レベルを所定レベルに調整して、ＧＳＭ試験信号ａ２として出力端子３１から試験対象の移動端末１ａへ送出する。
【００５４】
搬送波発生回路２９から出力される搬送波信号のスロット毎の周波数Ｆは設定周波数データメモリ２５から読出されてスロット毎に設定される各スロットの設定周波数データＤＦＧにて定まる。また、減衰器（ＡＴＴ）３０のスロット毎の減衰量は設定減衰量データメモリ２６から読出されてスロット毎に設定される各スロットの設定減衰量データＤＡＧにて定まる。
【００５５】
前記演算制御部１７には、各試験信号発生部１３、１４がＷ―ＣＤＭＡ試験信号ａ１を出力期間中においては、フレーム発生回路２３から１０ｍｓ毎のＷ―ＣＤＭＡフレーム割込信号が入力される。さらに、この演算制御部１７には、各試験信号発生部１３、１４がＧＳＭ試験信号ａ２を出力期間中においては、フレーム発生回路２３から４．６２ｍｓ毎のＧＳＭフレーム割込信号及び０．５７７ｍｓ毎のＧＳＭスロット割込信号が入力される。
【００５６】
また、この演算制御部１７には、試験条件入力部１９から、必要に応じて、ＧＳＭフレーム割込信号に同期して、各スロット及び各周波数Ｆを指定したＧＳＭ周波数変更要求が入力される。さらに、この演算制御部１７には、試験条件入力部１９から、必要に応じて、周波数Ｆを指定したＷ―ＣＤＭＡ試験信号ａ１への変更要求、及び周波数Ｆを指定したＧＳＭ試験信号ａ２への変更要求が入力される。
【００５７】
この移動端末試験装置１２は、図３に示すように、
（１）　一方の試験信号発生部１３のみを用いたＧＳＭ基地局間、Ｗ―ＣＤＭＡ／ＧＳＭシステム間、及びＧＳＭ／Ｗ―ＣＤＭＡシステム間の各ハンドオーバー試験（ハードハンドオーバー試験）
（２）　両方の試験信号発生部１３、１４を用いたＧＳＭ基地局間ハンドオーバー試験（ソフトハンドオーバー試験）
（３）　両方の試験信号発生部１３、１４を用いＧＳＭ／Ｗ―ＣＤＭＡシステム間、及びＷ―ＣＤＭＡ／ＧＳＭシステム間の各システム間ハンドオーバー試験（ソフトハンドオーバー試験）
を実施することが可能である。
【００５８】
ここでは、説明を簡単にするために、（１）の一方の試験信号発生部１３のみを用いたＧＳＭ基地局間及びシステム間ハンドオーバー試験（ハードハンドオーバー試験）の処理手順を説明する。
【００５９】
この場合、演算制御部１７は、図４の流れ図に従って割込処理を実施する。
【００６０】
Ｓ１にて、試験条件入力部１９からＧＳＭフレーム割込信号が入力されると、このＧＳＭフレーム割込信号に各スロット及び各周波数Ｆを指定したＧＳＭ周波数変更要求が付加されていた場合は（Ｓ２）、このスロット及び周波数Ｆを自己の指定メモリへ一時記憶し（Ｓ３）、変更指示フラグを１に設定する（Ｓ４）。なお、Ｓ２にて、ＧＳＭ周波数変更要求が付加されていない場合は何もしない。
【００６１】
図４におけるＧＳＭスロット割込信号が入力されたときの演算制御部１７が実施する割込処理を説明するまえに、演算制御部１７が実施するメイン計算処理を図５を用いて説明する。
【００６２】
Ｑ１において、割込処理のＳ４にて設定した変更指示フラグ＝１を検出するとと、自己の指定メモリに書込んだ各スロット及び各周波数Ｆを読出して、各スロットの設定周波数データＤＦＧを算出して（Ｑ２）、この算出した各スロットの設定周波数データＤＦＧを試験信号発生部１３のＲＦ制御部２２の設定周波数データメモリ２５へ書込む（Ｑ３）。さらに、自己の指定メモリに書込んだ各スロット及び各周波数Ｆを読出して、各スロットの設定減衰量データＤＡＧを算出して（Ｑ４）、この算出した各スロットの設定減衰量データＤＡＧを試験信号発生部１３のＲＦ制御部２２の設定減衰量データメモリ２６へ書込む（Ｑ５）。
【００６３】
その後、周波数Ｆを設定したスロットの設定フラグを１に設定する（Ｑ６）。さらに、周波数Ｆが設定していないスロットの設定フラグを０に解除する（Ｑ７）。そして、最後に、変更指示フラグを０に解除する（Ｑ８）。
【００６４】
このように、演算制御部１７は、割込処理ではなくてメイン計算処理において、ＧＳＭ試験信号ａ２の各スロットに設定する周波数Ｆの設定周波数データＤＦＧ及び設定減衰量データＤＡＧを算出する。
【００６５】
そして、図４の流れ図におけるＳ５において、ＧＳＭスロット割込信号が入力されると、Ｓ６にて、該当スロットの設定フラグが１に設定されていた場合、試験信号発生部１３のＲＦ制御部２２の設定周波数データメモリ２５の該当スロットの設定周波数データＤＦＧを読出して、試験信号送出部２１の搬送波発生回路２９へ設定する（Ｓ７）。さらに、試験信号発生部１３のＲＦ制御部２２の設定減衰量データメモリ２６の該当スロットの設定周波数データＤＦＧを読出して、試験信号送出部２１の減衰器（ＡＴＴ）３０へ設定する（Ｓ８）。
【００６６】
なお、Ｓ６にて、該当スロットの設定フラグが１に設定されていない場合は、該当スロットに試験データが設定されていないので、周波数Ｆを設定する必要がないと判断して、なにもしない。
【００６７】
図４の流れ図におけるＳ９において、Ｗ−ＣＤＭＡ試験信号ａ１への周波数Ｆを指定した変更指示の割込が入力されると、この周波数Ｆから前述した設定周波数データＤＦＷを算出して、試験信号発生部１３のＲＦ制御部２２の設定周波数データメモリ２５へ書込む（Ｓ１０）。さらに、この前述した設定減衰量データＤＡＷを算出して、ＲＦ制御部２２の設定減衰量データメモリ２６へ書込む（Ｓ１１）。
【００６８】
なお、この実施形態装置においては、Ｗ−ＣＤＭＡ基地局間のハンドオーバー試験は実施しないので、この図４の流れ図において、Ｗ−ＣＤＭＡフレーム割込信号が入力された場合は（Ｓ１３）、周波数を変更する必要ないので、設定周波数データメモリ２５に記憶された設定周波数データＤＦＷを試験信号送出部２１の搬送波発生回路２９へ設定するとともに、設定減衰量データメモリ２６に記憶された設定減衰量データＤＡＷを試験信号送出部２１の減衰器（ＡＴＴ）３０へ設定する（Ｓ１２）。
【００６９】
このように構成された移動端末試験装置１２における前述した（１）の一方の試験信号発生部１３のみを用いたＧＳＭ基地局間及びシステム間ハンドオーバー試験（ハードハンドオーバー試験）を実施する場合におけるＧＳＭ試験信号ａ２、Ｗ―ＣＤＭＡ試験信号ａ１を作成する際の各割込信号、各割込処理、メイン処理のタイミングを図６のタイムチャートに示す。
【００７０】
例えば、試験信号発生部１３がＧＳＭ試験信号ａ２を出力期間中においは、時刻ｔ１、ｔ２、ｔ３、ｔ４、…において、ＧＳＭフレーム割込信号（ＧＳＭＦ）が入力し、一つのＧＳＭフレーム割込信号と次のＧＳＭフレーム割込信号との間に８個のＧＳＭスロット割込信号が入力する。そして、時刻ｔ２のＧＳＭフレーム割込信号に同期して、周波数変更要求が発生したとする。
【００７１】
各ＧＳＭスロット割込信号が入力する毎に、設定周波数データメモリ２５及び設定減衰量データメモリ２６の該当スロットの設定周波数データＤＦＧ及び設定減衰量データＤＡＧが、搬送波発生回路２９及び減衰器（ＡＴＴ）３０へ設定される。そして、時刻ｔ２のＧＳＭフレーム割込信号に同期して、周波数変更要求が発生すると、ロット及び周波数Ｆが指定メモリへ一時記憶される。
【００７２】
すると、時刻ｔ２にて、メイン計算処理が起動して、周波数変更指定された各スロットの設定周波数データＤＦＧ及び設定減衰量データＤＡＧが算出されて、設定周波数データメモリ２５及び設定減衰量データメモリ２６に書込まれる。なお、この設定周波数データＤＦＧ及び設定減衰量データＤＡＧの算出、書込処理は、時刻ｔ２から時刻ｔ３までの１ＧＳＭフレーム期間内で完了する。
【００７３】
したがって、時刻ｔ３のＧＳＭフレーム割込信号以降、各ＧＳＭスロット割込信号に同期して変更後の周波数Ｆが指定スロットに設定されたＧＳＭ試験信号ａ２が試験信号発生部１３から試験対象の移動端末１ａへ送出開始される。よって、移動端末試験装置１２においてはＧＳＭ基地局間ハンドオーバー試験が実施できる。
【００７４】
時刻ｔ５にて、Ｗ−ＣＤＭＡ試験信号ａ１への周波数Ｆを指定した変更割込信号が入力すると、試験信号発生部１３からＷ−ＣＤＭＡ試験信号ａ１が出力されるので、この移動端末試験装置１２から試験対象の移動端末１ａへ送出されている試験信号が、ＧＳＭ試験信号ａ２からＷ−ＣＤＭＡ試験信号ａ１へ変更される。よって、移動端末試験装置１２においてはシステム間ハンドオーバー試験が実施できる。
【００７５】
すなわち、Ｗ−ＣＤＭＡ試験信号ａ１への周波数Ｆを指定した変更割込信号が入力すると、指定された周波数Ｆを用いて設定周波数データＤＦＷ及び設定減衰量データＤＡＷが算出されて、設定周波数データメモリ２５及び設定減衰量データメモリ２６に書込まれる。さらに、設定周波数データメモリ２５及び設定減衰量データメモリ２６の設定周波数データＤＦＷ及び設定減衰量データＤＡＷが、搬送波発生回路２９及び減衰器（ＡＴＴ）３０へ設定される。
【００７６】
そして、このＷ−ＣＤＭＡ試験信号ａ１の出力期間中においては、Ｗ−ＣＤＭＡフレーム割込信号に同期して、設定周波数データメモリ２５及び設定減衰量データメモリ２６の設定周波数データＤＦＷ及び設定減衰量データＤＡＷが、搬送波発生回路２９及び減衰器（ＡＴＴ）３０へ設定される。
【００７７】
なお、この設定周波数データＤＦＧ及び設定減衰量データＤＡＧの算出、書込、及び設定処理は、時刻ｔ５から時刻ｔ６までの１Ｗ−ＣＤＭＡフレーム期間内で完了する。
【００７８】
以上説明したように、Ｗ―ＣＤＭＡ通信方式で通信を実施する機能とＧＳＭ通信方式で通信を実施する機能とを有した移動端末１ａにおいて、ＧＳＭ通信方式のハンドオーバー試験を実施する場合は、設定周波数データＤＦＧ及び設定減衰量データＤＡＧが算出されるフレームと、算出後の設定周波数データＤＦＧ及び設定減衰量データＤＡＧが設定されるフレームとを異ならせている。
【００７９】
一方、ＧＳＭ基地局からＷ―ＣＤＭＡ基地局へのシステム間ハンドオーバー試験を実施する場合は、Ｗ―ＣＤＭＡ試験信号ａ１に必要な設定周波数データＤＦＷ及び設定減衰量データＤＡＷの算出と、設定周波数データＤＦＷ及び設定減衰量データＤＡＷの設定とを同一のフレームで実行させている。
【００８０】
なお、図６のタイムチャートにおけるＷ―ＣＤＭＡ試験信号ａ１を出力期間中の時刻ｔ６以降において、周波数Ｆを指定したＧＳＭフレーム割込信号が入力されると、ＧＳＭ試験信号ａ２への変更指示が入力されたと同じであり、試験信号発生部１３は、Ｗ―ＣＤＭＡ試験信号ａ１に代えてＧＳＭ試験信号ａ２を出力開始するので、Ｗ―ＣＤＭＡ基地局からＧＳＭ基地局へのシステム間ハンドオーバー試験が実施される。
【００８１】
よって、ＧＳＭ基地局間ハンドオーバー試験及びシステム間ハンドオーバー試験を良好に実施できる。
【００８２】
なお、両方の試験信号発生部１３、１４を使用した前述した（２）（３）で示す、両方の試験信号ｓ１、ｓ２が同時に出力されている重複期間を含むソフトハンドオーバー試験も上述した試験手順で実施できる。
【００８３】
【発明の効果】
以上説明したように、本発明のハンドオーバー試験方法及びハンドオーバー試験装置においては、設定周波数データ及び設定減衰量データの算出タイミングと、設定周波数データ及び設定減衰量データの設定タイミングとをずらしている。したがって、演算処理速度を増加することなく、ＧＳＭ通信方式を採用した移動端末に対してのハンドオーバー試験を正確に実施できる。
【図面の簡単な説明】
【図１】本発明の一実施形態のハンドオーバー試験方法及びハンドオーバー試験装置が組込まれた移動端末試験装置の概略構成を示すブロック図
【図２】同実施形態の移動端末試験装置の要部を取出して示す詳細ブロック図
【図３】同実施形態の移動端末試験装置が実施可能なハンドオーバー試験の種類を示す図
【図４】同実施形態の移動端末試験装置における演算制御部の割込処理動作を示す流れ図
【図５】同実施形態の移動端末試験装置における演算制御部のメイン処理動作を示す流れ図
【図６】同実施形態の移動端末試験装置の動作を示すタイムチャート
【図７】ハンドオーバーを説明するための図
【図８】従来の移動端末試験装置の概略構成を示すブロック図
【図９】ハンドオーバー試験を実施するための各試験信号のフォーマットを示す図
【図１０】システム間ハンドオーバー試験を実施するための試験信号のフォーマットを示す図
【図１１】両方の試験信号発生部を用いたハンドオーバー試験手法を示す図
【符号の説明】
１ａ…移動端末
１２…移動端末試験装置
１３、１４試験信号発生部
１５…送信系評価部
１７…演算制御部
１９…試験条件入力部
２１…試験信号送出部
２２…ＲＦ制御部
２３…フレーム発生回路
２４…試験データメモリ
２５…設定周波数データメモリ
２６…設定減衰量データメモリ
２９…搬送波発生回路
３０…減衰器（ＡＴＴ）
【図１】
2004120655.tif 000003
【図２】
2004120655.tif 000004
【図３】
2004120655.tif 000005
【図４】
2004120655.tif 000006
【図５】
2004120655.tif 000007
【図６】
2004120655.tif 000008
【図７】
2004120655.tif 000009
【図８】
2004120655.tif 000010
【図９】
2004120655.tif 000011
【図１０】
2004120655.tif 000012
【図１１】
2004120655.tif 000013